(57)【特許請求の範囲】
【請求項１】
車両に搭載された表示装置の画質を各画質要素のパラメータに基づいて調整する表示画面調整装置であって、
ユーザーの体温や血圧の生体情報を検知する生体センサと、
この生体センサによる検知結果に基づいて当該ユーザーの体調を判定する体調判定手段と、
前記車両内の温度や明るさなどの周囲環境情報を検知する周囲環境センサと、
前記体調判定手段による体調判定結果に基づいて画質を調整する各画質要素のパラメータをそれぞれ設定すると共に前記周囲環境センサによる周囲環境検知結果に基づいて画質を調整する各画質要素のパラメータをそれぞれ設定し、これらパラメータに応じて前記表示装置の画質を調整する制御手段と、を設けたことを特徴とする表示画面調整装置。
【請求項２】
ユーザーがサングラスを装着しているか否かを判定するためのサングラス装着判定手段を備え、
前記制御手段は、前記体調判定結果と前記周囲環境検知結果と前記サングラス装着判定手段による判定結果とに応じて前記表示装置の画質を調整することを特徴とする請求項１に記載の表示画面調整装置。
【請求項３】
前記表示装置の画質を調整するための調整値をランク分けするとともに、各調整値ランクをパラメータ化し、当該調整値ランクの１つをデフォルト調整値ランクとして設定し、
前記体調判定結果に対応する補正値及び前記周囲環境検知結果に対応する補正値を有し、
前記制御手段は、前記体調判定結果に対応する補正値と、前記周囲環境検知結果に対応する補正値とを合計し、該合計値を前記デフォルト調整値ランクのパラメータに加算して最終調整値ランクのパラメータを算出し、この最終調整値ランクパラメータに対応する調整値ランクに基づいて前記表示装置の画質の調整値を決定することを特徴とする請求項１に記載の表示画面調整装置。
【請求項４】
前記表示装置の画質を調整するために調整値をランク分けするとともに、各調整値ランクをパラメータ化し、当該調整値ランクの１つをデフォルト調整値ランクとして設定し、
前記体調判定結果に対応する補正値と前記周囲環境検知結果に対応する補正値と前記サングラス装着判定結果に対応する補正値とを有し、
前記制御手段は、前記体調判定結果に対応する補正値と、前記周囲環境に対応する補正値と、前記サングラス装着判定結果に対応する補正値とを合計し、該合計値を前記デフォルト調整値ランクのパラメータに加算して最終調整値ランクのパラメータを算出し、この最終調整値ランクパラメータに対応する調整値ランクに基づいて前記表示装置の画質の調整値を決定することを特徴とする請求項２に記載の表示画面調整装置。
【請求項５】
報知手段を備え、
前記生体センサから生体情報が検知できないときには、該生体センサの生体情報検知のための案内を前記報知手段に報知させると共に、当該生体センサによる検知動作を再度実行し、この実行回数が所定回数に達したときには、当該生体センサの故障発生を前記報知手段に報知させ、且つ、前記体調判定結果に対応する前記補正値をデフォルト値に設定することを特徴とする請求項３又は４に記載の表示画面調整装置。
【請求項６】
報知手段を備え、
前記周囲環境センサから周囲環境情報が検知できないときには、当該周囲環境センサの周囲環境情報検知のための案内を前記報知手段に報知させると共に、当該周囲環境センサによる検知動作を再度実行し、この実行回数が所定回数に達したときには、前記周囲環境センサの故障を前記報知手段に報知させ、且つ、前記周囲環境検知結果に対応する補正値をデフォルト値に設定することを特徴とする請求項３ないし５のいずれかに記載の表示画面調整装置。
【請求項７】
報知手段を備え、
前記体調判定手段がユーザーの体調が不良であることを判定したときには、車両運転中止を促す案内を前記報知手段に報知させるようにしたことを特徴とする請求項１ないし６のいずれかに記載の表示画面調整装置。
【請求項８】
前記生体センサは、ステアリングハンドルにおいてユーザーの手指が触れる部位に設けられていることを特徴とする請求項１ないし７のいずれかに記載の表示画面調整装置。
【発明の詳細な説明】
【技術分野】
【０００１】
本発明は、車両に搭載された表示装置の画質を調整する表示画面調整装置に関する。
【背景技術】
【０００２】
従来、表示装置における表示画面の画質を調整する表示画面調整装置としては、特許文献１に記載された技術が知られている。このものでは、複数のディスプレイ（表示装置）の設置部屋環境やディスプレイの機種ごとに、複数のユーザーが個別に画質を調整し、ユーザーＩＤと調整した画質の設定値とを、各ディスプレイごとに記憶しておく技術である。
【特許文献１】特開２００５−２２９３５２号公報
【発明の開示】
【発明が解決しようとする課題】
【０００３】
ところで、表示装置を見る場合、ユーザーが予め画質調整を設定していたとしても、そのときの体調や表示装置周囲の環境（温度や明るさ）などにより、画質が明るすぎる感じを受けたり、色合いが合わない感じがしたりすることがある。このような場合には、上記画質調整の設定値が最適ではないという問題がある。そして、逐一、画質を調整しなおすのも面倒であった。
【０００４】
本発明は上述の事情に鑑みてなされたものであり、その目的は、ユーザーの体調や表示装置周囲の周囲環境に合った画質を自動的に調整できる表示画面調整装置を提供することにある。
【課題を解決するための手段】
【０００５】
請求項１の発明によれば、生体センサによりユーザーの体温や血圧の生体情報を検知し、体調判定手段により該生体センサによる検知結果に基づいて当該ユーザーの体調を判定し、周囲環境センサにより車両内の温度や明るさなどの周囲環境情報を検知し、制御手段により、前記体調判定手段による体調判定結果に基づいて画質を調整する各画質要素のパラメータをそれぞれ設定すると共に前記周囲環境センサによる周囲環境検知結果に基づいて画質を調整する各画質要素のパラメータをそれぞれ設定し、これらパラメータに応じて前記表示装置の画質を調整するから、表示画面を、ユーザーの体調や周囲環境にあった画質に自動的に調整でき、ユーザーが快適に表示画面を見ることができる。
【０００６】
この場合、ユーザーがサングラスを装着しているか否かを判定するためのサングラス装着判定手段を備え、前記制御手段は、前記体調判定結果と前記周囲環境検知結果と前記サングラス装着判定手段による判定結果とに応じて前記表示装置の画質を調整するようにしても良い（請求項２の発明）。
【０００７】
ユーザーがサングラスを使用していると、表示画面が暗く感じたり、特定の色が見難かったりすることがある。この点、この請求項２の発明では、前記制御手段が、前記体調判定手段による体調判定結果と前記周囲環境センサによる周囲環境検知結果と前記サングラス装着判定手段による判定結果とに応じて前記表示装置の画質を調整するから、このサングラス装着の有無に合った画質の調節が可能となり、利便性が増す。
【０００８】
また、前記表示装置の画質を調整するための調整値をランク分けするとともに、各調整値ランクをパラメータ化し、当該調整値ランクの１つをデフォルト調整値ランクとして設定し、
前記体調判定結果に対応する補正値及び前記周囲環境検知結果に対応する補正値を有し、前記制御手段は、前記体調判定結果に対応する補正値と、前記周囲環境検知結果に対応する補正値とを合計し、該合計値を前記デフォルト調整値ランクのパラメータに加算して最終調整値ランクのパラメータを算出し、この最終調整値ランクパラメータに対応する調整値ランクに基づいて前記表示装置の画質の調整値を決定するようにしても良い（請求項３の発明）。
【０００９】
このようにすると、体調に関する補正値と、周囲環境に関する補正値を合計し、さらにこの合計値をデフォルト調整値ランクのパラメータに加算して最終調整値ランクのパラメータを算出するから、体調と周囲環境とを一元化した調整値ランクを取得できて、画質の調整値の決定が容易である。
【００１０】
また、前記表示装置の画質を調整するための調整値をランク分けするとともに、各調整値ランクをパラメータ化し、当該調整値ランクの１つをデフォルト調整値ランクとして設定し、前記体調判定結果に対応する補正値と前記周囲環境検知結果に対応する補正値と前記サングラス装着判定結果に対応する補正値とを有し、前記制御手段は、前記体調判定結果に対応する補正値と、前記周囲環境に対応する補正値と、前記サングラス装着判定結果に対応する補正値とを合計し、該合計値を前記デフォルト調整値ランクのパラメータに加算して最終調整値ランクのパラメータを算出し、この最終調整値ランクパラメータに対応する調整値ランクに基づいて前記表示装置の画質の調整値を決定するようにしても良い（請求項４の発明）。
【００１１】
このようにすると、体調に関する補正値と、周囲環境に関する補正値と、サングラス装着に関する補正値を合計し、さらにこの合計値をデフォルト調整値ランクのパラメータに加算して最終調整値ランクのパラメータを算出するから、体調と周囲環境とサングラス装着の有無とを一元化した調整値ランクを取得できて、画質の調整値の決定が容易である。
【００１２】
また、報知手段を備え、前記生体センサから生体情報が検知できないときには、該生体センサの生体情報検知のための案内を前記報知手段に報知させると共に、当該生体センサによる検知動作を再度実行し、この実行回数が所定回数に達したときには、当該生体センサの故障発生を前記報知手段に報知させ、且つ、前記体調判定結果に対応する前記補正値をデフォルト値に設定するようにしても良い（請求項５の発明）。
【００１３】
生体センサは、車両における適宜箇所（ユーザーが自ずと触れる箇所（ハンドルや、キーなど）や適正なタッチ可能箇所（インストルメントパネルなど））に設けられるが、ユーザーが当該生体センサに適正に触れていないことがある。この場合には、生体センサから生体情報が検知できない。このような場合に、この請求項５の発明によれば、前記生体センサの生体情報検知のための案内を前記報知手段に報知させるから、ユーザーが生体センサに触れることを促される。ユーザーはこの報知により生体センサに触れることになる。この後、生体センサによる検知動作を再度実行するから、生体センサから生体情報を確実に検知できる。
【００１４】
そして前記生体センサが故障しているような場合には、前記生体センサの検知動作の実行回数が所定回数に達するから、報知手段により当該生体センサの故障を報知できる。そして、生体センサから生体情報が検知できなくても、前記体調判定結果に対応する前記補正値をデフォルト値に設定するから、調整値の決定を支障なく行うことができる。
【００１５】
また、報知手段を備え、前記周囲環境センサから周囲環境情報が検知できないときには、当該周囲環境センサの周囲環境情報検知のための案内を前記報知手段に報知させると共に、当該周囲環境センサによる検知動作を再度実行し、この実行回数が所定回数に達したときには、周囲環境センサの故障を前記報知手段に報知させ、且つ、前記周囲環境に対応する補正値をデフォルト値に設定するようにしても良い（請求項６の発明）。
【００１６】
周囲環境センサは、車両における適宜箇所（表示装置周辺など）に設けられるが、ユーザーが当該周囲環境センサ上に不用意に物品を置いてあったりすると、適正に周囲環境情報を検知できないことがある。このような場合に、この請求項６の発明によれば、前記周囲環境センサの周囲環境情報検知のための案内を前記報知手段に報知させるから、ユーザーが周囲環境センサ部分の物品を取り除くことを促される。ユーザーはこの報知により周囲環境センサ部分から物品を取り除くことになる。この後、周囲環境センサによる検知動作を再度実行するから、周囲環境センサから周囲環境情報を確実に検知できる。
【００１７】
そして、前記周囲環境センサが故障しているような場合には、前記周囲環境センサの検知動作の実行回数が所定回数に達するから、報知手段により当該周囲環境センサの故障を報知できる。そして、周囲環境センサから周囲環境情報が検知できなくても、前記周囲環境に対応する前記補正値をデフォルト値に設定するから、調整値の決定を支障なく行うことができる。
【００１８】
また、報知手段を備え、前記体調判定手段がユーザーの体調が不良であることを判定したときには、車両運転中止を促す案内を前記報知手段に報知させるようにしても良い（請求項７の発明）。このようにすると、体調が不良な状態での運転を中止させることが可能となる。
【発明を実施するための最良の形態】
【００１９】
以下、本発明の第１の実施例につき図１ないし図６を参照して説明する。表示装置であるディスプレイ１は、例えば液晶表示装置から構成されている。このディスプレイ１は図示しない車両のインストルメントパネルなどの位置、つまりユーザー（ドライバ）から見易い位置に配設されている。このディスプレイ１は種々の入力画像ソースを表示するものであり、その入力画像ソースとしては、ナビゲーション装置のナビ画像や、ＤＶＤ画像、ＴＶ画像、車載カメラ画像、ユーザーなどによる外部入力画像などがある。
【００２０】
このディスプレイ１の画質を調整するための表示画面調整装置２は、車両に搭載されており、制御装置３と、音声出力装置４と、入力部５と、輝度センサ６と、温度センサ７と、生体センサ８と、画質調整部９とを備えて構成されている。
前記制御装置３は、ＣＰＵ１０、ＲＯＭ１１、ＲＡＭ１２、不揮発性メモリ１３などを含んで構成されており、体調判定手段及び制御手段たるものである。前記ＲＯＭ１１には、画質調整のためのプログラムや固定的なデータが記憶されている。前記ＲＡＭ１２は入力される情報やデータを一時的に記憶するようになっている。不揮発性メモリ１３は電源オフ時にも消去してはいけない特定データを記憶するためのものである。例えば、ユーザーが指定した画質のデフォルト値などを記憶する。
【００２１】
音声出力装置４は例えばスピーカからなり、オーディオなどのスピーカを利用しても良いし、専用に設けても良く、報知手段に相当する。
入力部５は例えば画質調整に関連するデータなどを入力するものであり、例えばディスプレイ１に形成された透明電極からなるタッチスイッチや、インストルメントパネルに設けられたタッチスイッチや、あるいは押しボタンスイッチなどから構成されている。
【００２２】
前記輝度センサ６は、前記ディスプレイ１周辺に設けられており、当該ディスプレイ１周辺の明るさを検知するものであり、周辺環境センサに相当する。
前記温度センサ７は、車内の適宜部位（例えばインストルメントパネル）に設けられており、空気温度を検知するものであり、周辺環境センサに相当する。
【００２３】
生体センサ８は例えばステアリングハンドルにおいて手指が触れる部位に設けられており、体温や血圧さらには脈拍などを検知するものである。
画質調整部９はディスプレイ１の画質（画質要素としては、コントラスト、色合い、色濃さ、シャープネス、黒レベル、明るさなどがある）を調整するものであり、この画質調整部９には、前記制御装置３から与えられる画質調整値に応じて、画質を調整する。
【００２４】
次に上記制御装置３の制御（ＣＰＵ１０が行う制御）について図２を参照して説明する。この制御が、例えば、ユーザーがエンジンスタータを操作したときに開始される。ステップＳ１では画像ソースが、ナビゲーション装置のナビ画像、ＤＶＤ画像、ＴＶ画像、車載カメラ画像、ユーザーなどによる外部入力画像のいずれであるかの判定を行うとともに、当該画像ソースのデフォルト調整値ランクを読み出す。このデフォルト調整値ランクは、ユーザーで予め設定しておくようにしている。なお、このデフォルト調整値ランクは、予め制御装置３で画像ソースごとにデフォルトに決めておいても良い。
【００２５】
ここで、各画像ソースの調整値ランクは図６（ｃ）に示すように２０ランクに区分されている。例えば、画質要素「コントラスト」は１５〜８０度数（調整値）が２０ランクに適宜区分され、画質要素「色合い」は３〜９９度数（調整値）が２０ランクに適宜区分され、画質要素「色濃さ」は２〜９０度数（調整値）が２０ランクに適宜区分され、画質要素「シャープネス」は５〜８０度数（調整値）が２０ランクに適宜区分され、画質要素「黒レベル」は１〜７５度数（調整値）が２０ランクに適宜区分され、画質要素「明るさ」は１〜１００度数（調整値）が２０ランクに適宜区分されている。そして各調整値ランクはパラメータ「１」〜「２０」が設定されている（パラメータ化されている）。これら調整値ランク「１」〜「２０」の１つが前記デフォルト調整値ランクに設定されている。ユーザーが予め設定した当該デフォルト調整値ランクは図６（ｂ）の欄［１］［２］［３］［４］［５］に示している。
【００２６】
すなわち、［１］のナビ画像の場合、「コントラスト」、「色合い」、「色濃さ」、「シャープネス」、「黒レベル」、「明るさ」のユーザー設定のデフォルト調整値ランクがいずれも調整値ランク「１０」となっており、［２］のＤＶＤ画像では、「コントラスト」のデフォルト調整値ランクが調整値ランク「１１」、「色合い」のデフォルト調整値ランクが調整値ランク「９」、「色濃さ」のデフォルト調整値ランクが調整値ランク「１０」、「シャープネス」のデフォルト調整値ランクが調整値ランク「１１」、「黒レベル」のデフォルト調整値ランクが調整値ランク「８」、「明るさ」のデフォルト調整値ランクが調整値ランク「１１」となっている。以下、［３］のＴＶ画像、［４］のカメラ画像、［５］の外部入力画像の各画質要素のデフォルト調整値ランクは図示の通りである。
【００２７】
また、各画質要素ごとの、体調判定結果、周囲温度検知結果、周囲明るさ検知結果に対応する補正値は図６（ａ）に示している。
例えば画質要素「コントラスト」については、体調判定結果「良い」では補正値「０」（補正無し）、体調判定結果「悪い」では補正値「＋２」、周囲温度検知結果「適度」では補正値「０」、周囲温度検知結果「高い」では補正値「０」、周囲温度検知結果「低い」では補正値「０」、周囲明るさ検知結果「適度」では補正値「０」、周囲明るさ検知結果「明るい」では補正値「＋１」、周囲明るさ検知結果「暗い」では補正値「−１」となっている。
【００２８】
なお、前記ステップＳ１においては、画像ソースが例えばナビ画像とする。
ステップＳ２では、生体センサ８による検知及び補正値取得制御を行う。この制御の内容はサブルーチンとして図３に示している。この図３において、ステップＴ１では、生体センサ８により、血圧、体温、脈拍などの生体情報を検知し（体調検知し）、ステップＴ２で、良好な検知ができたか否か（生体情報を検知できたか否か）を判定する。良好な検知ができれば（「ＹＥＳ」）、ステップＴ３に移行して、この検知結果から体調を判定する。この場合体調「良い」か「悪い」もしくは「運転に支障がある不良」の３段階で判定する。
【００２９】
このステップＴ３の後は、ステップＴ４に移行し、前記ステップＴ３での体調判定結果が「運転に影響がある不良」ではないか否かを判断し、体調判定結果が「運転に影響がある不良」であれば、ステップＴ６に移行して、運転をやめるように音声出力装置４に報知させると共に、エンジンを停止し、この制御を終了する。
【００３０】
前記ステップＴ４での体調判定結果が「運転に影響がある不良」でないと判断されると、体調判定結果「良い」又は「悪い」に応じて、図６（ａ）の判定用データから補正値を読み込む。この場合、体調「悪い」であれば「コントラスト」の補正値は「＋２」を読み込み、「色合い」の補正値は「＋１」を読み込み、「色濃さ」の補正値は「−２」を読み込み、「シャープネス」の補正値は「−２」を読み込み、「黒レベル」の補正値は「＋１」を読み込み、「明るさ」の補正値は「−１」を読み込む。また体調「良い」であれば、「コントラスト」、「色合い」、「シャープネス」、「黒レベル」、「明るさ」の各補正値はいずれも「０」（補正なし）である。
【００３１】
ここで前記ステップＴ２で良好な検知ができていないと判断されると、つまり、ユーザーが生体センサ８にうまく触れていないと判断されると、ステップＴ７に移行して、再検知を２回実行したか否かを判断し、まだ２回未満であるときには（「ＮＯ」）、ステップＴ８に移行して、生体センサ８に触るように音声出力装置４に報知させ、ステップＴ１に戻る。このステップＴ１では、再度、体調検知動作を実行することになるが、通常は、ユーザーが前記報知に促されて生体センサ８を触ることになり、この再検知動作により生体情報を良好に検知できることになり、ステップＴ２の「ＹＥＳ」からステップＴ３に移行することになる。
【００３２】
上記ステップＴ７で再検知動作が２回実行されたことが判断されると、ステップＴ９に移行して、生体センサ８が故障していることを音声出力装置４に報知させ、ステップＴ１０で、体調の補正値としてデフォルト値（この場合、体調「良い」の補正値（いずれも「０」）をデフォルト値としている）を読み込む。この後図２のメインルーチンに戻り、ステップＳ３の周囲温度検知及び補正値取得制御を行う。
【００３３】
このステップＳ３の周囲温度検知及び補正値取得制御の制御内容は、サブルーチンとしての図４に示している。この図４において、ステップＵ１では、温度センサ７により、周囲温度を検知し、ステップＵ２で、良好な検知ができたか否か（周囲温度を検知できたか否か）を判定する。良好な検知ができれば（「ＹＥＳ」）、ステップＵ３に移行して、この検知結果から周囲温度が「適度」、「低い」、「高い」のいずれであるかを判定する。
【００３４】
この後、ステップＵ４に移行して、周囲温度判定結果「適度」、「低い」、「高い」に応じて図６（ａ）の判定用データから補正値を読み込む。この場合、周囲温度「低い」であれば「コントラスト」の補正値は「０」を読み込み、「色合い」の補正値は「＋３」を読み込み、「色濃さ」の補正値は「０」を読み込み、「シャープネス」の補正値は「−１」を読み込み、「黒レベル」の補正値は「＋１」を読み込み、「明るさ」の補正値は「０」を読み込む。また周囲温度判定結果が「高い」であれば、「コントラスト」の補正値は「０」を読み込み、「色合い」の補正値は「−３」を読み込み、「色濃さ」の補正値は「０」を読み込み、「シャープネス」の補正値は「＋１」を読み込み、「黒レベル」の補正値は「−１」を読み込み、「明るさ」の補正値は「０」を読み込む。また、周囲温度の判定結果が「適度」のときには、「コントラスト」、「色合い」、「色濃さ」、「シャープネス」、「黒レベル」、「明るさ」の各補正値はいずれも「０」（補正なし）である。
【００３５】
ここで前記ステップＵ２で良好な検知ができていないと判断されると、つまり、ユーザーが温度センサ７部分に温度検知障害となる物品が存在して周囲温度がうまく検知できないと判断されると、ステップＵ５に移行して、再検知を２回実行したか否かを判断し、まだ２回未満であるときには（「ＮＯ」）、ステップＵ６に移行して、温度センサ７部分の障害となっている要因（温度センサ７部分の物品）を排除するように、音声出力装置４に報知させ、ステップＵ１に戻る。このステップＵ１では、再度、周囲温度検知動作を実行することになるが、通常は、ユーザーが前記報知に促されて前記温度検知障害物品を排除することになり、この再検知動作により周囲温度を良好に検知できることになり、ステップＵ２の「ＹＥＳ」からステップＵ３に移行することになる。
【００３６】
上記ステップＵ５で再検知動作が２回実行されたことが判断されると、ステップＵ７に移行して、温度センサ７が故障していることを音声出力装置４に報知させ、ステップＵ８で、周囲温度の補正値としてデフォルト値（この場合、周囲温度「適度」の補正値（いずれも「０」）をデフォルト値としている）を読み込む。この後図２のメインルーチンに戻り、ステップＳ４の周囲明るさ検知及び補正値取得制御を行う。
【００３７】
このステップＳ４の周囲明るさ検知及び補正値取得制御の制御内容は、サブルーチンとしての図５に示している。この図４において、ステップＶ１では、輝度センサ６により、周囲の明るさを検知し、ステップＶ２で、良好な検知ができたか否か（周囲明るさを検知できたか否か）を判定する。良好な検知ができれば（「ＹＥＳ」）、ステップＶ３に移行して、この検知結果から周囲明るさが「適度」、「暗い」、「明るい」のいずれであるかを判定する。
【００３８】
この後、ステップＶ４に移行して、周囲明るさ判定結果「適度」、「暗い」、「明るい」に応じて図６（ａ）の判定用データから補正値を読み込む。この場合、周囲明るさ「暗い」であれば「コントラスト」の補正値は「−１」を読み込み、「色合い」の補正値は「０」を読み込み、「色濃さ」の補正値は「−１」を読み込み、「シャープネス」の補正値は「０」を読み込み、「黒レベル」の補正値は「＋２」を読み込み、「明るさ」の補正値は「−２」を読み込む。また周囲明るさ判定結果が「明るい」であれば、「コントラスト」の補正値は「＋１」を読み込み、「色合い」の補正値は「０」を読み込み、「色濃さ」の補正値は「＋１」を読み込み、「シャープネス」の補正値は「０」を読み込み、「黒レベル」の補正値は「−２」を読み込み、「明るさ」の補正値は「＋２」を読み込む。また、周囲明るさの判定結果が「適度」のときには、「コントラスト」、「色合い」、「色濃さ」、「シャープネス」、「黒レベル」、「明るさ」の各補正値はいずれも「０」（補正なし）である。
【００３９】
ここで前記ステップＶ２で良好な検知ができていないと判断されると、つまり、ユーザーが輝度センサ６部分に明るさ検知障害となる物品が存在して周囲明るさがうまく検知できないと判断されると、ステップＶ５に移行して、再検知を２回実行したか否かを判断し、まだ２回未満であるときには（「ＮＯ」）、ステップＶ６に移行して、輝度センサ６部分の障害となっている要因（輝度センサ６部分の物品）を排除するように、音声出力装置４に報知させ、ステップＶ１に戻る。このステップＶ１では、再度、周囲明るさ知動作を実行することになるが、通常は、ユーザーが前記報知に促されて前記周囲明るさ検知障害物品を排除することになり、この再検知動作により周囲明るさを良好に検知できることになり、ステップＶ２の「ＹＥＳ」からステップＶ３に移行することになる。
【００４０】
上記ステップＶ５で再検知動作が２回実行されたことが判断されると、ステップＶ７に移行して、輝度センサ６が故障していることを音声出力装置４に報知させ、ステップＶ８で、周囲温度の補正値としてデフォルト値（この場合、周囲明るさ「適度」の補正値（いずれも「０」）をデフォルト値としている）を読み込む。この後図２のメインルーチンに戻り、ステップＳ５に移行する。
【００４１】
このステップＳ５では、画質要素ごとに、体調判定結果から取得した補正値（ステップＴ５）又はデフォルト値（ステップＴ１０）と、周囲温度判定結果から取得した補正値（ステップＵ４）又はデフォルト値（ステップＵ８）と、周囲明るさ判定結果から取得した補正値（ステップＶ４）又はデフォルト値（ステップＶ８）とを合計し、次のステップＳ６で、画質要素ごとの各合計値を、図６（ｂ）の各画質要素ごとのデフォルト調整値ランクのパラメータに加算する。この各画質要素ごとの加算により、各画質要素ごとの最終調整値ランクパラメータを決定する。次のステップＳ７では、各画質要素ごとの最終調整値ランクパラメータに対応する調整値ランクから、各画質要素の調整度数（調整値）を取得する。この後、ステップＳ８で、この調整値を画質調整部９に出力し、画質調整部９では、この調整値に応じてディスプレイ１の画質を調整する。
【００４２】
ここで、図６の太線枠で示すように、本実施例における体調判定結果が「悪い」であって、周囲温度判定結果（周囲温度検知結果）が「低い」であって、周囲明るさ判定結果（周囲明るさ検知結果）が「暗い」であるときには、図６（ａ）の欄ａ４に示すように、画質要素「コントラスト」の補正値の合計値は「＋１」、「色合い」の補正値の合計値は「＋４」、「色濃さ」の補正値の合計値は「−３」、「シャープネス」の補正値の合計値は「−３」、「黒レベル」の補正値の合計値は「＋４」、「明るさ」の補正値の合計値は「−３」となる。
【００４３】
そして、デフォルト調整値ランクのパラメータは、ナビ画像対応でのランクパラメータ（「コントラスト」、「色合い」、「色濃さ」、「シャープネス」、「黒レベル」、「明るさ」のいずれも図６（ｂ）の欄ｂ１に示すようにランクパラメータ「１０」）であるから、各画質要素の最終的な調整値ランクパラメータは次のようになる。
【００４４】
「コントラスト」の最終的な調整値ランクパラメータは「１０」＋「＋１」＝「１１」（図６（ｂ）の欄ｂ２参照）となる。同様のやり方で、
「色合い」の最終的な調整値ランクパラメータは「１０」＋「＋４」＝「１４」、
「色濃さ」の最終的な調整値ランクパラメータは「１０」＋「−３」＝「７」、
「シャープネス」の最終的な調整値ランクパラメータは「１０」＋「−３」＝「７」、
「黒レベル」の最終的な調整値ランクパラメータは「１０」＋「＋４」＝「１４」、
「明るさ」の最終的な調整値ランクパラメータは「１０」＋「−３」＝「７」となる。
【００４５】
これら各画質要素の最終的な調整値ランクパラメータから、各画質要素の調整値が、図６（ｃ）のデータに基づいて取得される。
「コントラスト」の調整値としては、最終調整値ランクが「１１」であるから、欄ｃ１の調整値が取得され、
「色合い」の調整値としては、最終調整値ランクが「１４」であるから、欄ｃ２の調整値が取得され、
「色濃さ」の調整値としては、最終調整値ランクが「７」であるから、欄ｃ３の調整値が取得され、
「シャープネス」の調整値としては、最終調整値ランクが「７」であるから、欄ｃ４の調整値が取得され、
「黒レベル」の調整値としては、最終調整値ランクが「１４」であるから、欄ｃ５の調整値が取得され、
「明るさ」の調整値としては、最終調整値ランクが「７」であるから、欄ｃ６の調整値が取得される。
【００４６】
このような本実施例よれば、生体センサ８によりユーザーの体温や血圧などの生体情報を検知し、体調判定手段としての機能する制御装置３により、該生体センサ８による検知結果に基づいて当該ユーザーの体調を判定し、周囲環境センサとしての輝度センサ６や温度センサ７により車両内の明るさや温度などの周囲環境情報を検知し、制御手段としても機能する制御装置３により、前記体調判定結果と前記周囲環境検知結果（明るさや温度の検知結果）とに応じてディスプレイ１の画質を調整するから、ディスプレイ１の表示画面を、ユーザーの体調や周囲環境にあった画質に自動的に調整でき、ユーザーが快適に表示画面を見ることができる。
【００４７】
また、本実施例によれば、前記ディスプレイ１の各画質要素の調整値をランク分けするとともに、各調整値ランクをパラメータ化し、前記各調整値ランクの１つをデフォルト調整値ランクとして設定し、前記体調判定結果に対応する補正値及び前記周囲環境検知結果に対応する補正値を有し、前記制御装置３が、前記体調判定結果に対応する補正値と、前記周囲環境に対応する補正値とを合計し、該合計した補正値を前記デフォルト調整値ランクのパラメータに加算して最終調整値ランクパラメータを算出し、この最終調整値ランクパラメータに対応する調整値ランクに基づいて前記表示装置の画質の調整値を決定するようにした。
【００４８】
これによれば、体調に関する補正値と、周囲環境に関する補正値を合計し、さらにこの合計値をデフォルト調整値ランクのパラメータに加算するから、体調と周囲環境とを一元化した調整値ランクを取得できて、画質の調整値の決定が容易である。
【００４９】
この場合、報知手段として音声出力装置４を備え、前記生体センサ８から生体情報が検知できないときには、該生体センサ８の生体情報検知のための案内を前記音声出力装置４に報知させると共に、当該生体センサ８による検知動作を再度実行し、この実行回数が所定回数例えば２回に達したときには、当該生体センサ８の故障発生を前記音声出力装置４に報知させ、且つ、前記体調判定結果に対応する前記補正値をデフォルト値に設定するようにしたから、次の効果を得ることができる。
【００５０】
すなわち、生体センサ８は、車両における適宜箇所（ユーザーが自ずと触れる箇所（ハンドルや、キーなど）や適正なタッチ可能箇所（インストルメントパネルなど））に設けられるが、ユーザーが当該生体センサ８に適正に触れていないことがある。この場合には、生体センサ８から生体情報が検知できない。このような場合に、この実施例によれば、前記生体センサ８の生体情報検知のための案内を前記音声出力装置４に報知させるから、ユーザーが生体センサ８に触れることを促される。ユーザーはこの報知により生体センサ８に触れることになる。この後、生体センサ８による検知動作を再度実行するから、生体センサ８から生体情報を確実に検知できる。
【００５１】
そして、前記生体センサ８が故障しているような場合には、前記生体センサ８の検知動作の実行回数が前記所定回数に達するから、音声出力装置４により当該生体センサ８の故障を報知できる。そして、生体センサ８から生体情報が検知できなくても、前記体調判定結果に対応する前記補正値をデフォルト値に設定するから、画質調整値の決定を支障なく行うことができる。
また、本実施例によれば、ユーザーの体調が不良であることを判定したときには、車両運転中止を促す案内を前記音声出力装置４に報知させるようにしたから、体調が不良な状態での運転を中止させることが可能となる。
【００５２】
また、本実施例によれば、周囲環境センサである輝度センサ６や温度センサ７から周囲環境情報（周囲明るさ情報や周囲温度情報）が検知できないときには、これら周囲環境センサ（輝度センサ６や温度センサ７）の周囲環境情報検知のための案内を音声出力装置４に報知させると共に、当該周囲環境センサ（輝度センサ６や温度センサ７）による検知動作を再度実行し、この実行回数が所定回数例えば２回に達したときには、周囲環境センサ（輝度センサ６や温度センサ７）の故障を前記音声出力装置４に報知させ、且つ、前記周囲環境に対応する補正値をデフォルト値に設定するようにしたから、ユーザーが当該周囲環境センサ（輝度センサ６や温度センサ７）上に不用意に物品を置いてあったり、当該周囲環境センサのごく近くに物品が位置したりしている場合に、周囲環境センサ（輝度センサ６や温度センサ７）の周囲環境情報検知のための案内（物品を排除するための案内）ができ、ユーザーが周囲環境センサ部分の物品を取り除くことを促される。ユーザーはこの報知により周囲環境センサ部分から物品を取り除くことになる。この後、周囲環境センサによる検知動作を再度実行するから、周囲環境センサから周囲環境情報を確実に検知できる。
【００５３】
そして前記周囲環境センサ（輝度センサ６や温度センサ７）が故障しているような場合には、前記周囲環境センサの検知動作の実行回数が前記所定回数に達するから、前記音声出力装置４から当該周囲環境センサの故障を報知できる。そして、周囲環境センサから周囲環境情報が得られなくても、前記周囲環境に対応する前記補正値をデフォルト値に設定するから、画質調整値の決定を支障なく行うことができる。
【００５４】
次に図７及び図８は本発明の第２の実施例を示しており、この実施例においては、次の点が第１の実施例と異なる。この第２の実施例では、カメラ２１を設けており、制御装置３は、このカメラ２１からの画像信号に基づいて、ユーザーがサングラスを装着しているか否かを判定するようになっており、当該カメラ２１と制御装置３とでサングラス装着判定手段２２を構成している。制御装置３は、前記体調判定結果と前記周囲環境検知結果と前記サングラス装着判定手段２２による判定結果とに応じて前記ディスプレイ１の画質を調整するようにしている。
【００５５】
詳細に説明する。上記カメラ２１は、ユーザーの顔部分を撮像できる車内位置に配設されており、制御装置３は、当該カメラ２１からの画像信号に基づいて、サングラス装着の有無を判定する。
さらに前記制御装置３は、前記体調判定結果に対応する補正値と、前記周囲環境（周囲温度や周囲明るさ）に対応する補正値と、前記サングラス装着判定結果に対応する補正値（図８の欄ａ５参照）とを合計し、該合計値を前記デフォルト調整値ランクのパラメータに加算して最終調整値ランクのパラメータを算出し、この最終調整値ランクパラメータに対応する調整値ランクに基づいて前記表示装置の画質の調整値を決定するようにしている。
【００５６】
ユーザーがサングラスを使用していると、ディスプレイ１の表示画面が暗く感じたり、特定の色が見難かったりすることがある。この点、この第２の実施例では、前記制御装置３が、前記体調判定結果と前記周囲環境検知結果と前記サングラス装着判定結果とに応じて前記ディスプレイ１の画質を調整するから、このサングラス装着の有無に合った画質の調節が可能となり、利便性が増す。
【００５７】
また、この第２の実施例によれば、体調に関する補正値と、周囲環境に関する補正値と、サングラス装着に関する補正値を合計し、さらにこの合計値をデフォルト調整値ランクのパラメータに加算して最終調整値ランクのパラメータを算出するから、体調と周囲環境とサングラス装着の有無とを一元化した調整値ランクを取得できて、画質の調整値の決定が容易である。
【００５８】
本発明は、上記した各実施例に限定されず、次のように変更して実施しても良い。生体センサはイグニッションキーに設けるようにしても良い。図３に示した制御の開始トリガは、スタータの操作信号でなく、ドアロック解除や、シート着座検出をトリガとしても良い。また、生体センサとしては、複数の生体センサを、ハンドルや、インストルメントパネルなどに設け、通常はユーザーが触りやすいハンドルの生体センサを使用し、検知ができないときには、ユーザーに対してインストルメントパネルの生体センサに触るような報知を行なうようにしても良い。また、報知手段としては音声出力装置４に限られず、ディスプレイ１を報知手段として使用するようにしても良い。
【図面の簡単な説明】
【００５９】
【図１】本発明の第１の実施例を示す機能的構成のブロック図
【図２】制御内容を示すフローチャート（その１）
【図３】制御内容を示すフローチャート（その２）
【図４】制御内容を示すフローチャート（その３）
【図５】制御内容を示すフローチャート（その４）
【図６】（ａ）は補正値データを示し、（ｂ）はデフォルト調整値ランクの一例を示し、（ｃ）は調整値ランクデータを示す図
【図７】本発明の第２の実施例を示す図１相当図
【図８】図６相当図
【符号の説明】
【００６０】
図面中、１はディスプレイ（表示装置）、２は表示画面調整装置、３は制御装置（体調判定手段、制御手段）、４は音声出力装置（報知手段）、６は輝度センサ（周囲環境センサ）、７は温度センサ（周囲環境センサ）、８は生体センサ、２１はカメラ、２２はサングラス装着判定手段を示す。
【図１】
0005251021.tif 000002
【図２】
0005251021.tif 000003
【図３】
0005251021.tif 000004
【図４】
0005251021.tif 000005
【図５】
0005251021.tif 000006
【図６】
0005251021.tif 000007
【図７】
0005251021.tif 000008
【図８】
0005251021.tif 000009